(57)【要約】      （修正有） 【課題】即効性があり短時間で眠気を覚ますことが可能な眠気覚ましシートを提供する。【解決手段】基材となるシート状不織布層１と前記基材一方側に設けられたメントールを含んだ含水ジェル層２と前記含水ジェルを覆うフィルム層とを順に設けてなることを特徴とする眠気覚ましシートであり、眠気覚ましシート幅Ｄは２０〜３５ミリメートルに設定され、前記含水ジェル層の厚さがシート状不織布層の厚さの２〜３倍に設定されてなる眠気覚ましシート。【選択図】図１
0003164904.tif 000002
【実用新案登録請求の範囲】
【請求項１】
基材となるシート状不織布層と前記基材一方側に設けられたメントールを含んだ含水ジェル層と前記含水ジェルを覆うフィルム層とを順に設けてなることを特徴とする眠気覚ましシート。
【請求項２】
前記眠気覚ましシートは幅20〜35ミリメートルに設定されてなること特徴とする請求項１に記載の眠気覚ましシート。
【請求項３】
前記含水ジェル層の短手方向長さ及び長手方向長さはシート状不織布層の短手方向長さ及び長手方向長より小さく設定されてなることを特徴とする請求項１又は請求項２項に記載の眠気覚ましシート。
【請求項４】
前記含水ジェル層の厚さを1〜2ミリメートルに設定されてなることを特徴とする請求項1から3のいずれか1項に記載の眠気覚ましシート。
【請求項５】
前記含水ジェル層の厚さがシート状不織布層の厚さの2〜3倍に設定されてなることを特徴とする請求項1から4のいずれか1項に記載の眠気覚ましシート。
【考案の詳細な説明】
【技術分野】
【０００１】
本考案は、人の顔に一時的に貼付し眠気を防止するシートに関するものであり、特に、含水ジェルを用いた眠気覚ましシートに関する。
【背景技術】
【０００２】
従来、不織布の上に含水ジェルを塗工した冷却性シートが用いられている。これらを使用する時には冷却シートに設けられた保護用の剥離シートをはがし、冷却シートを身体に貼付して使用する。冷却性シートは体温や大気によって暖められ、含水ジェル中の水分が気化する際の気化熱によって冷却作用を発揮するものである。
【０００３】
このような冷却シートは広く用いられており、風邪などの発熱時に額に貼って利用したり、体の炎症部位に貼って利用したりすることができる。これらは簡単に冷却感を得られるため広く用いられている。
【０００４】
しかし、従来の冷却シートでは上記のように冷却効果を有するものの、眠気覚まし効果を考えて作られているものではなく、眠気覚ましの効果も十分ではなかった。
【０００５】
【特許文献１】特開２００６‐８７７８５
【考案の開示】
【考案が解決しようとする課題】
【０００６】
本考案は、上記の事情に鑑みてなされたもので、即効性があり簡単に眠気を覚ますことが可能な眠気覚ましシートを提供することを目的とする。
【課題を解決するための手段】
【０００７】
前記課題を解決するため請求項1記載の考案にあっては、基材となるシート状不織布層と前記基材一方側に設けられたメントールを含んだ含水ジェル層と前記含水ジェルを覆うフィルム層とを順に設けてなる。
【０００８】
請求項2記載の考案にあっては、眠気覚ましシートは幅20〜35ミリメートルに設定されてなる。
【０００９】
請求項3記載の考案にあっては、含水ジェル層の短手方向長さ及び長手方向長さはシート状不織布層の短手方向長さ及び長手方向長より小さく設定されてなる。
【００１０】
請求項4記載の考案にあっては、含水ジェル層の厚さを1〜2ミリメートルに設定されてなる。
【００１１】
請求項5記載の考案にあっては、含水ジェル層の厚さがシート状不織布層の厚さの2〜3倍に設定されてなる。
【考案の効果】
【００１２】
本考案によれば、即効性があり簡単に眠気を覚ますことが可能な眠気覚ましシートの提供が可能となる。
【考案を実施するための最良の形態】
【００１３】
以下、本考案の一実施形態を図に従って説明する。図1は本考案の眠気覚ましシートの透明フィルムを除いた平面図を示し、図２は本考案の眠気覚ましシートの底面図を示す。又図３は本考案の眠気覚ましシートの側面図である。
【００１４】
（第一の実施形態）
図1から図3に示すように、本考案の眠気覚ましシートは全体が薄いシート状であり、全体が手の平に載る程度の大きさのシート状であり、乾燥を防ぐためにアルミ蒸着された袋などに封入されている。
【００１５】
眠気覚ましシートは積層構成となっており、基材となるシート状不織布層1と基材一方側に設けられたメントールを含んだ含水ジェル層2と含水ジェルを覆う透明フィルム層3とを順に設けてある。眠気覚ましシートの短手方向長さ（幅Ｄ）は20〜35ミリメートル程度、長手方向長さが100〜130ミリメートル程度に設定してある。
【００１６】
基材となるシート状不織布層1は、短手方向長さ（幅）が20〜35ミリメートル、長手方向長さが100〜130ミリメートル程度の不織布からなる矩形形状ベース材であり、厚みは0.5〜1ミリメートル程度に設定される。
【００１７】
本考案で用いられる含水ジェル2は、短手方向長さ（幅ｄ）が14〜33ミリメートル、長手方向長さが80〜128ミリメートル程度で、ベース材の周囲に各1〜10ミリメートル程度の余白を残してシート状不織布1の上に設けられている。また、含水ジェルの厚みは1〜2ミリメートルに設定されている。本実施例では含水ジェル2は1枚当たり6ｇ〜8ｇ程度である。加えて、含水ジェル2は粘性を有しメントールが従来の冷却ジェルよりも多く配合されている（従来品の冷却ジェルの2倍程度）。
【００１８】
含水ジェル層2の厚さは、ベースとなる不織布層よりも厚くされており、含水ジェル層の厚さはシート状不織布層の厚さの2〜3倍程度が好ましい。
【００１９】
透明フィルム層3は、含水ジェルを乾燥や埃から保護し、不必要な部位に含水ジェル2が接着しないように保護している薄い透明フィルム3で、眠気覚ましシートを使用する場合にはベースとなる不織布層1および含水ジェル層2から剥離される。
【００２０】
透明フィルム層3は、含水ジェルの全表面と不織布層の含水ジェルに覆われていない部分（周縁部）を覆っている（図3参照）。そして、剥離作業が行い易いように網目状のエンボス加工が施してある。
【００２１】
透明フィルムは含水ジェルの側面までを覆う構成となっているため、使用時に眠気覚ましシート周縁にジェルがはみ出し難く、ジェルで周囲を汚したり、手を汚したりせずに済む。
【００２２】
また、本考案の眠気覚ましシートは幅Ｄが20〜35ミリメートル程度の積層体シートであるため、眠気覚ましシートの使用場所としては使用者の顔における額や、目と外鼻孔の間（鼻筋）の上に貼り付けて利用することができる。また、眠気覚ましシートは含水ジェルが粘着性を有しておりそれ自体で皮膚などに貼付することができ、いちいち固定用のテープ等を準備する必要もなく、眠気を防止したいときにすぐに貼り付け利用できる。加えてメントールを2倍配合（多く）してあるためメントールによる眠気覚まし効果も期待できる。鼻筋に眠気覚ましシートを貼り付けた場合には目の下側から程よくメントールの刺激も受けるため、貼付直後に特に眠気覚ましの効果がある。
【００２３】
本考案の眠気覚ましシートは含水ジェルの厚さが、従来の冷却シートに用いられている厚さよりも薄くなっている。（従来は含水ジェル層の厚さがシート状不織布層の厚さの4倍程度に設定されていた）そのため、眠気覚ましシートを顔などに貼付すると、体温によって含水ジェル全体が素早く暖められ気化熱とメントールとをすばやく放出することになる。
よって、眠気を覚ましたいと考える利用者を短時間のうちに、含水ジェル自体による冷涼感と気化熱による冷却感及び放出されるメントール成分による清涼感などにより眠気を覚まし易い環境に導くことができる。特に眠気覚ましシートを貼り付けた直後に眠気覚ましの効果がある。
【００２４】
本考案の眠気覚ましシートは、受験生の勉強時やドライバーの車の運転時などに最適な眠気覚まし環境を短時間で簡単に提供することができる。
【００２５】
なお、本考案では眠気覚ましシートの形状は矩形が基本的な形状であるが、途中になだらかな張出部や欠落部を設けることもできし、基本形状を楕円形や長円形のような丸みのある形状としたり、途中にスリットを形成することも可能である。それらの構成によって、顔の部位に合わせてピッタリと適合するシートとすることができるため、より使い易い眠気覚ましシートとすることが可能である。
【図面の簡単な説明】
【００２６】
【図１】は本考案の眠気覚ましシートの平面図（フィルムを除く）を示す。
【図２】は本考案の眠気覚ましシートの底面図を示す。
【図３】は本考案の眠気覚ましシートの側面図を示す。
【符号の説明】
【００２７】
1                       
不織布
2                       
含水ジェル
3                       
透明フィルム
【図１】
0003164904.tif 000003
【図２】
0003164904.tif 000004
【図３】
0003164904.tif 000005